(57)【要約】【課題】ファッション性と機能性を備えた履物用のカバーを提供する。【解決手段】本発明の履物用のカバーは、足を履物の底に固定するための鼻緒、アッパー又はベルトに支持部材を介して取り付けられることで、前記鼻緒、アッパー、又はベルトから浮上した状態で足の指及び足の甲の全体を覆うことを特徴とする。カバーを鼻緒、アッパー又はベルトに支持部材を介して取り付けるので、全ての種類の履物に使用できるという利点がある。また、カバーを着脱自在にすれば、予め使用者の好みに応じたカバーを複数用意しておいて外出時の気分に合わせて所望のカバーに付け替えることができ、高いファッション性を得られ、履物購入時における特に女性や子供への訴求力を高めることができる。【選択図】図１
2015029540.tif 000002
【特許請求の範囲】
【請求項１】
足を履物の底に固定するための鼻緒、アッパー又はベルトに支持部材を介して取り付けられることで、前記鼻緒、アッパー、又はベルトから浮上した状態で足の指及び足の甲の全体を覆うことを特徴とする履物用のカバー。
【請求項２】
足を履物の底に固定するための鼻緒、アッパー又はベルトに支持部材を介して取り付けられており、足の甲の少なくとも一部を覆うことを特徴とする履物用のカバー。
【請求項３】
着脱自在であることを特徴とする請求項１又は２に記載のカバー。
【請求項４】
表面に絵柄を描くことができることを特徴とする請求項１〜３のいずれか一項に記載のカバー。
【請求項５】
表面に多数の穴が形成されており、当該穴に装飾部材を挿入して配置・固定することを特徴とする請求項１〜４のいずれか一項に記載のカバー。
【請求項６】
表面に着脱自在なステージを備えており、当該ステージの上に装飾部材を配置・固定できることを特徴とする請求項１〜５のいずれか一項に記載のカバー。
【請求項７】
前記ステージに多数の穴が形成されており、当該穴に装飾部材を挿入して配置・固定することを特徴とする請求項６に記載のカバー。
【請求項８】
ＬＥＤライトを備えることを特徴とする請求項１〜７のいずれか一項に記載のカバー。
【請求項９】
前記ＬＥＤライトが、履いたら電源を入れ、脱いだら電源を切るスイッチによって作動することを特徴とする請求項８に記載のカバー。
【請求項１０】
表面に太陽光発電装置を備え、発電した電力を蓄えるための蓄電池を備えることを特徴とする請求項１〜９のいずれか一項に記載のカバー。
【請求項１１】
表面に表示画面を備えており、携帯電話等の通信手段を介して入手した図柄を当該表示画面に表示できることを特徴とする請求項１〜１０のいずれか一項に記載のカバー。
【請求項１２】
日焼け防止機能を備えることを特徴とする請求項１〜１１のいずれか一項に記載のカバー。
【請求項１３】
硬質素材からなることを特徴とする請求項１〜１２のいずれか一項に記載のカバー。
【請求項１４】
軟質素材からなることを特徴とする請求項１〜１２のいずれか一項に記載のカバー。
【請求項１５】
遮熱材からなることを特徴とする請求項１〜１４いずれか一項に記載のカバー。
【請求項１６】
歩数計を備えることを特徴とする請求項１〜１５のいずれか一項に記載のカバー。
【請求項１７】
革靴風の素材及び図柄からなることを特徴とする請求項１〜１６のいずれか一項に記載のカバー。
【請求項１８】
後端部に切り込みを備えることを特徴とする請求項１〜１７のいずれか一項に記載のカバー。
【請求項１９】
表面及び裏面の少なくとも一方に、光触媒としての酸化チタンを付着させることを特徴とする請求項１〜１８のいずれか一項に記載のカバー。
【請求項２０】
内部に空気を導入する又は内部の空気を排出する送風装置を備えることを特徴とする請求項１〜１９のいずれか一項に記載のカバー。
【請求項２１】
請求項１〜２０のいずれか一項に記載のカバーを備えることを特徴とする履物。
【発明の詳細な説明】
【技術分野】
【０００１】
本発明は、ファッション性と機能性を備えた履物用のカバーに関する。
【背景技術】
【０００２】
従来、アッパーに形成した通気用の穴や、鼻緒に形成した穴に動物や記号等をデザインした特製のアクセサリーを嵌め込むことで意匠性・趣味性を高めた履物が知られている（特許文献１）。
なお、本明細書において「履物」とは、革靴、スニーカー、ハイヒール、サンダル、草履、下駄、スリッパ、パンプス、長靴類、ブーツ、スポーツ用シューズ、スケートブーツ、バレーシューズ、ダンスシューズ、安全靴、上履き、木靴、ドライビングシューズ、登山靴等、足に装着する物全般を指すものとする。また、履物の用途も紳士・婦人・子供・乳幼児用等、特に限定しないものとし、素材も天然皮革、合成皮革、天然繊維、合成繊維、ゴム、布、木材及びこれらを組み合わせたもの等、特に限定しないものとする。
【先行技術文献】
【特許文献】
【０００３】
【特許文献１】実用新案登録第３１４１８３２号公報
【発明の概要】
【発明が解決しようとする課題】
【０００４】
しかし、従来の技術では次のような問題が生じる。
すなわち、アッパーや鼻緒等、履物本体に形成した穴にアクセサリーを嵌め込む方式の場合、当該特製のアクセサリーしか使用できないため、使用者の好みに合わせて履物を自由にデザインできるとは言い難い。
また、一般的に使用者は外出時の気分に合わせて気軽且つ自由にアクセサリーを付け替えたいが、アクセサリーを履物本体に形成した穴に嵌め込む方式の場合、使用しないアクセサリーを穴から一旦取り外した後、使用するアクセサリーを穴に嵌め込む作業に手間と時間がかかるという問題もある。
【０００５】
本発明はこのような問題に鑑み、ファッション性と機能性を備えた履物用のカバーを提供することを課題とする。
【課題を解決するための手段】
【０００６】
本発明の履物用のカバーは、足を履物の底に固定するための鼻緒、アッパー又はベルトに支持部材を介して取り付けられることで、前記鼻緒、アッパー、又はベルトから浮上した状態で足の指及び足の甲の全体を覆うことを特徴とする。
また、足を履物の底に固定するための鼻緒、アッパー又はベルトに支持部材を介して取り付けられており、足の甲の少なくとも一部を覆うことを特徴とする。
また、着脱自在であることを特徴とする。
また、表面に絵柄を描くことができることを特徴とする。
また、表面に多数の穴が形成されており、当該穴に装飾部材を挿入して配置・固定することを特徴とする。
また、表面に着脱自在なステージを備えており、当該ステージの上に装飾部材を配置・固定できることを特徴とする。
また、前記ステージに多数の穴が形成されており、当該穴に装飾部材を挿入して配置・固定することを特徴とする。
【０００７】
また、ＬＥＤライトを備えることを特徴とする。
また、前記ＬＥＤライトが、履いたら電源を入れ、脱いだら電源を切るスイッチによって作動することを特徴とする。
また、表面に太陽光発電装置を備え、発電した電力を蓄えるための蓄電池を備えることを特徴とする。
また、表面に表示画面を備えており、携帯電話等の通信手段を介して入手した図柄を当該表示画面に表示できることを特徴とする。
また、日焼け防止機能を備えることを特徴とする。
また、硬質素材からなることを特徴とする。
また、軟質素材からなることを特徴とする。
また、遮熱材からなることを特徴とする。
【０００８】
また、歩数計を備えることを特徴とする。
また、革靴風の素材及び図柄からなることを特徴とする。
また、後端部に切り込みを備えることを特徴とする。
また、表面及び裏面の少なくとも一方に、光触媒としての酸化チタンを付着させることを特徴とする。
また、内部に空気を導入する又は内部の空気を排出する送風装置を備えることを特徴とする。
また、本発明の履物は上記カバーを備えることを特徴とする。
【発明の効果】
【０００９】
本発明のカバーは鼻緒、アッパー又はベルトに支持部材を介して取り付けるので、全ての種類の履物に使用できるという利点がある。
また、カバーを着脱自在にすれば、予め使用者の好みに応じたカバーを複数用意しておいて外出時の気分に合わせて所望のカバーに付け替えることができ、高いファッション性を得られ、履物購入時における特に女性や子供への訴求力を高めることができる。
また、カバーを着脱自在にすることでカバーのみの洗濯が可能になる。
【００１０】
また、カバーの表面に絵柄を描くことができるようにしたり、カバーの表面に多数の穴を形成し、当該穴に装飾部材を挿入して配置・固定することにすれば、使用者の好みに合ったデザインの履物を得ることができる。
また、カバーの表面に着脱自在なステージを設けて、当該ステージの上に装飾部材を配置・固定できることにしたり、ステージに多数の穴を形成されており、当該穴に装飾部材を挿入して配置・固定することにしてもよい。
【００１１】
また、カバーにＬＥＤライトを設け、所定のタイミングでのスイッチ操作による点灯、自動点灯、又は履いたら電源が入り、脱いだら電源が切れるスイッチによって点灯することにすれば、履物の視認性が高まり、夜間等外出時の安全性を高めることができる。
また、カバーの表面に太陽光発電装置を備え、発電した電力を蓄えるための蓄電池を備えることにすれば、上記ＬＥＤライトや、携帯電話等の電子機器への電力供給に使用できる。
また、カバーに日焼け防止機能を持たせたり、革靴風の素材及び図柄を施すことにすればファッション性や意匠性を向上できる。同様に、カバーの表面に表示画面を設けて、携帯電話等の通信手段を介して入手した図柄を当該表示画面に表示できることにしてもファッション性や意匠性を向上できる。
【００１２】
また、カバーを硬質素材で製造すれば落下物に対して足を保護でき、いわゆる安全靴としての機能を付与することができる。
また、カバーを軟質素材で製造すればカバーを履物本体の屈曲や捩じれに追従させることができ、履き心地を向上できる。また、カバーの後端部に切り込みを備えることにすれば、カバーの後端部が足に接触する場合に当該切り込み箇所が変形するので足への負担を軽減できる。
また、カバーを周知の遮熱材で製造すればカバー内部の温度上昇を抑制できる。
【００１３】
また、カバーに歩数計を備えることにすれば使用者の健康増進に寄与できる。
また、カバーの表面及び裏面の少なくとも一方に、光触媒としての酸化チタンを付着させることで、カバーに抗菌機能、脱臭機能及び防汚機能を付与することができる。
また、送風装置を備えることにすればカバー内部の通気性を向上できる。
また、足の指の全体及び足の甲の全体をカバーで覆うことにすれば、雨天時等に足の皮膚が濡れてしまう事態をほぼ完全に防止できる。
【００１４】
なお、カバーは支持部材としての小片を介して鼻緒、アッパー又はベルトの表面に取り付ける。これら鼻緒、アッパー及びベルトは本来的に足の甲に沿った形状となるように設計されているため、履物本体の種類に応じて鼻緒、アッパー又はベルトに支持部材を取り付け、これら支持部材にカバーを取り付けることにすれば、カバーも自ずから足の甲に沿った形状にできる。
支持部材として履物の底の左右に架け渡した半円弧状部材（アーチ状の部材）を用いてもよく、この場合には小片を鼻緒等に取り付ける場合と比較して履物の部品点数及び製造コストを抑えることができる。
また、支持部材として複数のフックをカバーの一部に取り付けておき、このフックを鼻緒、アッパー、ベルト、あるいは履物の底に引っ掛けることでカバーを履物に取り付ける構造にしてもよい。
【図面の簡単な説明】
【００１５】
【図１】右足用サンダルの左側面を模式的に示す図
【図２】透明のカバーを取り付けた状態を示す図
【図３】サンダルを履いた状態を示す左側面図（ａ）と歩行時の空気の流れを示す図（ｂ）
【図４】サンダルを履いた状態を示す正面図（ａ）と歩行時の空気の流れを示す図（ｂ）
【図５】第１の実施の形態の履物を左斜め上から見た図
【図６】第１の実施の形態の履物を後方から見た図
【図７】第１の実施の形態の履物を右斜め上から見た図
【図８】第１の実施の形態の履物の右側面図
【図９】第１の実施の形態の履物の正面図
【図１０】第１の実施の形態の履物の底面図
【図１１】第１の実施の形態におけるカバーの平面図（ａ）及び縦断面図（ｂ）
【図１２】第１の実施の形態におけるカバーの平面図（ａ）及び縦断面図（ｂ）
【図１３】第１の実施の形態におけるカバーの平面図
【図１４】第１の実施の形態の履物の変形例を示す斜視図
【図１５】第２の実施の形態の履物の正面図
【図１６】第２の実施の形態の履物の左側面図
【図１７】第２の実施の形態の履物を左斜め上から見た図
【図１８】第３の実施の形態の履物を左斜め上から見た図
【図１９】第３の実施の形態の履物の正面図
【図２０】第４の実施の形態の履物を右斜め上から見た図
【図２１】第５の実施の形態の履物を左斜め上から見た図
【図２２】第６の実施の形態の履物を右斜め上から見た図
【図２３】第７の実施の形態の履物の正面図
【図２４】第８の実施の形態の履物を左斜め上から見た図
【図２５】第９の実施の形態の履物を右斜め上から見た図
【図２６】第９の実施の形態の履物を左斜め上から見た図
【図２７】第９の実施の形態の履物の右側面図
【図２８】第９の実施の形態の履物の背面図
【図２９】第９の実施の形態の履物の底面図
【発明を実施するための形態】
【００１６】
［第１の実施の形態］
本発明のカバーの第１の実施の形態を図を用いて説明する。
本実施の形態では履物本体がサンダルである。
図1は側面視したサンダル１０を模式的に示したものであり、カバー２０に着色を施すことで内部が見えない状態になっている。図２は理解を容易にするためにカバー２０を透明にして内部を視認できる状態にしたものであり、図３及び４は右足でサンダル１０を履いた状態を示したものである。また、図５〜図１０は透明なカバー２０を付けたサンダル１０をより写実的に示したものである。
なお、本実施の形態では右足用のサンダル１０を用いて説明するが、左足用のサンダルについても同様の構成を備えているものとする。また、図４では支持部材６０の図示を省略している。
【００１７】
カバーは支持部材によって着脱自在に履物に取り付けられており、図１１〜１３は取り外した状態のカバーを示している。
具体的には、図１１はカバー２０の表面に着脱自在なステージ８０を設けた例を示している。ステージ８０をカバー２０に着脱自在に固定するための手段は特に限定されるものではないが、例えば面ファスナーを用いたり、ステージ８０の裏面に粘着剤を塗布する方法が挙げられる。ステージ８０の上には、例えばハート型、星型、花形、円形、動物や人間等の装飾部材８１を配置・固定することができる。これら装飾部材８１はステージ８０に対して面ファスナー等の周知の手段によって着脱自在の構造であってもよく、あるいは一旦配置・固定した後は剥がすことができない構造であってもよい。使用者は予め複数のデザインのステージ８０を製作しておき、気分に合わせて着せ替える（張り替える）ことができる。装飾部材の材質はゴム、プラスチック樹脂、金属など適宜選択すればよい。
【００１８】
図１２はカバー２０に複数の穴８２を空けた例を示している。装飾部材８１の裏面にはピン８３が立設されており、ピン８３を所望の穴８２に挿入することで配置・固定するようになっている。穴の直径は特に限定されないが、実用性を考慮すると2ミリ程度が好ましい。また、穴の形状は円以外にも多角形状でもよく、あるいは切り込みを設けておいて、切り込みを押し開きながらピン８３を挿入することにしてもよい。なお、上記ステージ８０に穴８２を空ける構造であってもよい。
図１３はカバー２０の表面に着脱自在なキャンバス８４を備えた例を示している。キャンバス８４をカバー２０に着脱自在に固定するための手段は上記ステージと同様に特に限定されるものではない。キャンバス８４の表面にはペンや筆で絵柄・文字等を描くことができるようになっているため、使用者はキャンバス８４を爪に見立てたネイルアート風にデザインし、気分に合わせて着せ替えて楽しむことができる。
【００１９】
カバー２０はサンダル１０の鼻緒１１に取り付けられている。
鼻緒１１は足を履物の底１２に固定するために一般的に広く使用されているものと同様の部材であり、底１２の前端部に取り付けた前坪から鼻緒本体が左右後方に枝分かれして取り付けられている。一般的には鼻緒は履物のうちサンダル、草履及び下駄に用いられることが多い。
【００２０】
カバー２０は足の甲の少なくとも一部を覆う部材である。本実施の形態では底１２の前端部よりも僅かに前方に突出し、鼻緒１１の後端よりも僅かに後方にまで及んでいる。カバー２０の素材は特に限定されるものではないが、例えばサンダルやスポーツ用シューズなど使用時に屈曲や捩じれの度合いが大きい履物に使用する場合にはビニール、軟質プラスチック、ポリウレタン等の合成ゴム等の軟質素材を用いるのが好ましい。本実施の形態ではカバー２０を軟質素材で形成しているため変形量が大きい。したがって、図５〜１０においてカバー２０の形状は必ずしも相互に一致していない場合がある。
【００２１】
カバー２０は鼻緒１１の表面に取り付けた支持部材６０に支持されている。具体的には、鼻緒１１の表面に支持部材６０としての立方体形状の小片６１を複数（本実施の形態では６個）固着させており、各小片６１の表面に取り付けた面ファスナーによってカバー２０の裏面と着脱自在に取り付けている。一般的に鼻緒１１は足の甲の形状に沿うように設計されているので、鼻緒１１の表面に小片６１を適当な間隔で配置していくことで、各小片６１に接着されるカバー２０も足の甲の形状に沿った形状になり、且つ足の甲に対して一定の間隔を空けて取り付けられる。なお、面ファスナー以外に例えばホックやボタン等を用いてカバー２０を履物本体から着脱自在の構成にしてもよい。
また、カバー２０の後端部２４に切り込み２０ａ（図５〜１０参照）を設けることにすれば、カバー２０の後端部２４が足に接触する場合に当該切り込み２０ａが弾性変形するので足への負担を軽減できる。
【００２２】
なお、支持部材６０を介することでカバー２０は浮上した状態、すなわちカバー２０の下端部２３全体が底１２から離間した状態で履物に取り付けられることになり、このカバー下端部２３と底１２との隙間が空気導入口３０として機能することになる。また、カバー２０の後端部２４と底１２の表面との間に生じる隙間が、カバー内部５０の空気を排出する空気排出口４０として機能することになる。
つまり、履物を履いた状態で歩行を行うべく左右いずれかの足（例えば右足）を前方に移動させると、図３（ｂ）及び図４（ｂ）中に矢印Ａで示すように空気導入口３０のうち特に履物の前側に位置する空気導入口３０から外部の大量の空気Ａ１がカバー内部５０に導入される。右足が前方に移動している間はカバー内部５０を前方から後方に向かって空気が移動し続けるので、導入された空気は足指の先端から足指全体及び股部に至り、その一部は足の甲の表面を後方に移動し、他の一部は足の裏面を後方に移動する。
【００２３】
次に、右足を着地させるべく下方に移動させると、空気導入口３０のうち特に履物の左右に位置する空気導入口３０から外部の空気Ａ２がカバー内部５０に導入される。右足が下方に移動している間はカバー内部５０を下方から上方に向かって空気が移動し続けるので、導入された空気の一部は足指及び甲の左右の側面から上方に移動し、他の一部は足の裏面に至る。
以上の通り、歩行によってカバー内部５０に常に外部の新鮮な空気が積極的に導入されるので、履物内の湿った空気が速やかに外部に排出されると共に、足の皮膚が汗等で湿った状態であったとしても、導入された空気によって速やかに乾燥状態になり、この状態を常時維持することができる。
【００２４】
なお、本実施の形態では支持部材６０としての小片６１が立方体形状であるとしたが、例えば図１４に示すように、鼻緒１１後端の左右側面近傍に取り付ける小片６２については厚みを抑えた形状にすることで、カバー２０の幅を抑えることができ、履物のデザイン性を高めることができる。
【００２５】
［第２の実施の形態］
次に、本発明の第２の実施の形態について説明するが、上記第１の実施の形態と同様の構成となる箇所については同一の符号を付してその説明を省略する。
図１５〜１７に示すように、本実施の形態ではアッパー１３ａを備えた革靴１３を使用する点及び支持部材６０としての小片６３が立方体形状ではなく、上下２つの四角形状の部材６３ａを支柱６３ｂで繋いだＩ字状である点に特徴を有する。なお、図１５〜１７には左足用の革靴のみを示している。
革靴のアッパー１３ａには複数の開口１４を設けており、これによって通気性を高めている。
また、小片６３をＩ字状にすることで、上記第1の実施の形態と比較して支持部材６０を軽量化することができ、カバー２０を付けた場合でも使用者が違和感を感じにくくなると共に、小片６３自体に可撓性を持たせ易くなるので、歩行・走行中の革靴１３の屈曲や捩じれにカバーが追従し、使用者がより異和感を感じにくくなる。
なお、視認性を高めるためにカバー２０を透明にしているが、当然カバー２０に着色を施してもよい。
【００２６】
［第３の実施の形態］
次に、本発明の第３の実施の形態について説明するが、上記各実施の形態と同様の構成となる箇所については同一の符号を付してその説明を省略する。
図１８及び１９に示すように、本実施の形態ではアッパー１５を備えたスニーカー１６を使用する点及びカバー２０の前端部２２が底１２の前端部よりも大きく上方に位置する点に特徴を有する。なお、図１８及び１９には左足用のスニーカーのみを示している。
スニーカー１６は上記第２の実施の形態で示した革靴１３等と比較して、メッシュ素材等の通気性が高い素材を用いて作られていることが多い。したがって、このような本来的に通気性の確保を考慮して製造されている履物に対してはアッパー１５等に開口を必ずしも設ける必要がない。つまり、カバー２０の前端部２２に空気導入口３０を大きく設けて、歩行・走行時に大量の空気を空気流通路５０内に導入できるようにすれば、アッパー１５等に開口を設けなくても充分な通気性を確保できる。なお、当然のことながらアッパー１５等に開口を設けて更に通気性を高めてもよい。
【００２７】
［第４の実施の形態］
次に、本発明の第４の実施の形態について説明するが、上記各実施の形態と同様の構成となる箇所については同一の符号を付してその説明を省略する。
図２０に示すように、本実施の形態では支持部材６０として底１２の左右に架け渡した半円弧状部材６４と、底１２の周囲に取り付けた複数の直方体形状の小片６５を使用する点に特徴を有する。なお、図２０には左足用のサンダルのみを示している。
このように、支持部材６０は必ずしも鼻緒、アッパー又はベルトの表面に取り付ける必要はなく、底１２の一部に取り付けることにしてもよい。
【００２８】
［第５の実施の形態］
次に、本発明の第５の実施の形態について説明するが、上記各実施の形態と同様の構成となる箇所については同一の符号を付してその説明を省略する。
図２１に示すように、本実施の形態では支持部材６０として底１２の左右に架け渡した前後２つの半円弧状部材６６と、底１２の前端部から立ち上がる逆Ｌ字状の支柱６７と、底１２の側面を覆う長円状の環状部材６８を備える点と、履物としてブーツ１７を用いる点に特徴を有する。なお、図２１には左足用のブーツのみを示している。
半円弧状部材６６の左右の下端部と支柱６７の下端部は環状部材６８に接合されており、環状部材は底１２の側面に接合されている。
カバー２０は半円弧状部材６６の表面と支柱６７の上端面に塗布した接着剤によってこれら支持部材６０に固着されている。
このような構造にすれば、支持部材６０としての小片を使用しなくてもカバー２０を取り付けることができる。
また、これら支持部材６０を例えば炭素繊維や金属等の高い強度を有する部材で製造することにすれば、上方向や左右方向からの衝撃への耐久性をカバー２０に付与できるので、本発明の履物を高い通気性と防水性を兼ね備えた安全靴として使用することもできる。
【００２９】
［第６の実施の形態］
次に、本発明の第６の実施の形態について説明するが、上記各実施の形態と同様の構成となる箇所については同一の符号を付してその説明を省略する。
図２２に示すように、本実施の形態では履物としてベルト１８を備えるサンダル１９を用いる点と、カバー２０を底１２の周囲に取り付けた複数の直方体形状の小片６９のみで支持する点に特徴を有する。なお、図２２には右足用のサンダルのみを示している。
ベルト１８は足の親指を挿入・固定する部位１８ａと足の甲を挿入・固定する部位１８ｂとから構成されている。このように鼻緒やアッパーを備えない履物に対してもカバー２０を取り付けることができる。
なお、上記各実施の形態では支持部材６０を介してカバー２０を履物本体に取り付ける構造について説明したが、これに限らず、支持部材６０を用いずにカバー２０の内面を直接鼻緒、アッパー又はベルトに固着する構造であってもよい。
【００３０】
［第７の実施の形態］
次に、本発明の第７の実施の形態について説明するが、上記各実施の形態と同様の構成となる箇所については同一の符号を付してその説明を省略する。
図２３に示すように、本実施の形態では、上記第３の実施の形態で示したアッパー１５を備えたスニーカー１６において、カバー２０の一部が支持部材６１に対して開閉自在になっている点に特徴を有する。
具体的には、支持部材６１の表面に面ファスナー７０のオス・メスいずれか一方が貼り付けられており、カバー２０内面の対応箇所にオス・メスの他方が貼り付けられている。
スニーカー１６のように紐７１を備える履物の場合には、使用者はカバー２０を開いた状態で履物を履き、紐７１を所定の強さで締めた後にカバー２０を閉じることになる。
【００３１】
［第８の実施の形態］
次に、本発明の第８の実施の形態について説明するが、上記各実施の形態と同様の構成となる箇所については同一の符号を付してその説明を省略する。
図２４に示すように、本実施の形態では、カバー２０の後端部２４にベロ状部材７２を設けた点に特徴を有する。
ベロ状部材７２は可撓性を有しており、足のすねに接触した状態で上方に撓むことができる。これによりカバー２０の後端部２４と足との密着性を高めて、カバー２０内部への雨等の侵入を効果的に防止できる。
【００３２】
［第９の実施の形態］
次に、本発明の第９の実施の形態について説明するが、上記各実施の形態と同様の構成となる箇所については同一の符号を付してその説明を省略する。
図２５〜２９に示すように、本実施の形態では履物本体が長靴７３であり、そのアッパー７４（脛のあたり）にカバー２０の後端部２４の一部をテープ７５で水密状態に固定している点、空気導入口３０がカバー２０の前端部２２では前方に開口しており（図２７参照）、カバー２０の左右側面部では左右方向に開口しており（図２７参照）、カバー２０の後端部２４では下方に開口している点（図２８参照）及び背面視した場合に内くるぶし側の空気排出口４０ａよりも外くるぶし側の空気排出口４０ｂの開口幅の方が広い点に特徴を有する。なお、図２５〜２９には右足用の長靴７３のみを示している。
本実施の形態ではカバー２０の後端部を水密状態に固定しているので激しい降雨時でもカバー２０内部に水が浸入する事態を防止できる。また、空気導入口３０がカバー２０の前端部、左右側面部及び後端部の全てで所定方向に開口しているので、歩行中に途切れることなく新鮮な空気をカバー２０内部に供給できる。また、内くるぶし側の空気排出口４０ａの幅を狭くしているので、歩行中に左右両足のカバー２０同士がぶつかる事態を防止できる。
また、カバー２０の下端部がアッパー７４に設けた開口１４よりも低い位置になるよう、換言するとアッパー７４に設けた開口７５をカバー２０で完全に覆うようにすることが好ましい。これにより開口７５からの履物内部への雨水等の侵入を防止できる。
【産業上の利用可能性】
【００３３】
本発明は、ファッション性と機能性を備えた履物用のカバーであり、産業上の利用可能性を有する。
【符号の説明】
【００３４】
１０  サンダル
１１  鼻緒
１２  底
１３  革靴
１３ａ  アッパー
１４  開口
１５  アッパー
１６  スニーカー
１７  ブーツ
１８  ベルト
１９  サンダル
２０  カバー
２０ａ  切り込み
２１  左右の端部
２２  前端部
２３  下端部
２４  後端部
３０  空気導入口
４０  空気排出口
５０  空気流通路
６０  支持部材
６１  小片
６２  小片
６３  小片
６４  半円弧状部材
６５  小片
６６  半円弧状部材
６７  支柱
６８  環状部材
６９  小片
７０  面ファスナー
７１  紐
７２  ベロ状部材
７３  長靴
７５  テープ
８０  ステージ
８１  装飾部材
８２  穴
８３  ピン
８４  キャンバス
【図１】
2015029540.tif 000003
【図２】
2015029540.tif 000004
【図３】
2015029540.tif 000005
【図４】
2015029540.tif 000006
【図５】
2015029540.tif 000007
【図６】
2015029540.tif 000008
【図７】
2015029540.tif 000009
【図８】
2015029540.tif 000010
【図９】
2015029540.tif 000011
【図１０】
2015029540.tif 000012
【図１１】
2015029540.tif 000013
【図１２】
2015029540.tif 000014
【図１３】
2015029540.tif 000015
【図１４】
2015029540.tif 000016
【図１５】
2015029540.tif 000017
【図１６】
2015029540.tif 000018
【図１７】
2015029540.tif 000019
【図１８】
2015029540.tif 000020
【図１９】
2015029540.tif 000021
【図２０】
2015029540.tif 000022
【図２１】
2015029540.tif 000023
【図２２】
2015029540.tif 000024
【図２３】
2015029540.tif 000025
【図２４】
2015029540.tif 000026
【図２５】
2015029540.tif 000027
【図２６】
2015029540.tif 000028
【図２７】
2015029540.tif 000029
【図２８】
2015029540.tif 000030
【図２９】
2015029540.tif 000031